(57)【要約】【課題】傘カバーを携帯に便であり、かつ美感を損なわない形態とする。【解決手段】傘カバー４０の外周縁面一組の相互に掛合する、面ファスナーのような掛合体５０，５０aを設け、カバー開口縁部に傘具ヘッドに取付ける可動式掛合リング６０を設ける。  カバーを傘具から外した状態で、カバーを上方に向けて折畳み、更に左右対称折りして半巾に縮小し、背面側の掛合体５０a、を前面側にして掛合体５０を重ねて固定し、小四角形の形態とする。【選択図】図９
0003140487.tif 000002
【実用新案登録請求の範囲】
【請求項１】
傘を閉じたときの長さに合わせた長筒形袋体の傘カバーの開口から閉じた傘具先端から挿入する傘カバーにおいて、
傘カバーの外周縁面に少なくとも一組の相互に掛合する掛合体を設置して、縦横に重ね折して縮小して小個体状とした該傘カバーの折畳んだ外側から掛合して折り畳み面を閉じて固定するようにし、
この折り畳んだ状態の傘カバーを傘ヘッド部に着脱、若しくは固定式に取付ける取付け具を設けたことを特徴とする傘カバー。
【請求項２】
前記傘ヘッド部への取り付け、傘ヘッドに設けた傘ヘッド掛合リング、傘ストラップ又は傘ストラップのヘッド端のリングを介して取り付けることを特徴とする請求項１記載の傘カバー。
【請求項３】
前記一組の掛合体は、面ファスナーもしくはボタン止めとすることを特徴とする請求項１記載の傘カバー。
【請求項４】
前記一組の掛合体は、傘カバーの開口近くの外周縁面上に設置することを特徴とする請求項１記載の傘カバー。
【請求項５】
前記一組の掛合体の一方の掛合体は、傘カバー開口の外周縁面から外に向かって伸びた凸耳片上に設置し、他の掛合体は前述の掛合体の反対側の対応箇所に設置することを特徴とする請求項１記載の傘カバー。
【請求項６】
前記傘カバーを畳んだ上記小個体状の外型は、扁平矩形袋状体とすることを特徴とする請求項１記載の傘カバー。
【請求項７】
前記傘カバーは、可動式掛合リングを設置し、その傘カバーを畳んだ上記小個体を該可動式掛合リングで傘ヘッドの傘ヘッド部上に掛合して取り付けることを特徴とする請求項１記載の傘カバー。
【請求項８】
前記傘カバーを畳んだ上記小個体は、該一組の掛合体を介して傘ヘッドの傘ストラップに取り付けることを特徴とする請求項１記載の傘カバー。
【請求項９】
前記傘カバーは、固定式リングを設置して、上記傘カバーを折り畳んだ小個体を固定式リングで傘ヘッドの傘ストラップに取り付けることを特徴とする請求項１記載の傘カバー。
【請求項１０】
前記傘ストラップとして弾性紐で構成された傘ストラップの伸びを利用して、傘カバー開口への傘先の挿入操作を行なうようにしたことをを特徴とする請求項９記載の傘カバー。
【請求項１１】
前記傘カバーは、底部から上向きに傘カバーの開口の外周縁面上まで対称折りして傘カバーを折畳んだ小個体前段を形成し、続いてその小個体前段を左右に対称折りして小個体を形成し、一組の掛合体で畳んだ後の小個体の外側から該折畳み面を閉じるように掛合することを特徴とする請求項１記載の傘カバー。
【請求項１２】
前記傘カバーは、更に傘カバー開口の外周縁面上に開口が下向きの副袋を設置したことを特徴とする請求項１記載の傘カバー。
【請求項１３】
前記傘カバーは、底部から上向きに該傘カバーの副袋の開口に向かって対称折りし、次に対称折りした部分を副袋の開口から副袋内へ入れ込んで対称折りして小個体前段を形成し、次に小個体前段を左右に対称折りして小個体を形成し、一組の掛合体で畳んだ後の小個体の外側から該折畳み面を閉じるように掛合することを特徴とする請求項１２記載の傘カバー。
【請求項１４】
前記傘カバーは、底部から上向きに対称折りし、対称折りした部分を対称折りして傘カバーの開口から傘カバー内部に入れ込んで小個体前段を形成し、次に小個体前段を左右に対称折りして小個体を形成し、一組の掛合体で畳んだ後の小個体の外側から該折畳み面を閉じるように掛合することを特徴とする請求項１記載の傘カバー。
【考案の詳細な説明】
【技術分野】
【０００１】
本考案は、傘カバーに関するもので、特に折り畳んで体積を縮小した小個体に定型し、傘と共に携帯し自在に開いて使用するものである。
【背景技術】
【０００２】
公知の傘は、図３に示すとおりの折りたたむことができる（folding umbrella）折畳式傘１０か、もしくは折りたたむことができない一般長傘（unfolding umbrella）で図５に示す一般長傘２０に分けられる。一般的に折畳式傘１０、もしくは一般長傘２０は、販売時、もしくは傘を折りたたんだ時、傘布の外面には通常傘布と同様の防水及び撥水効果を具えた傘カバー３０、３０aを被せる。これは、一方では傘具を販売する時の美感を高めるためで、図１、４に示すとおりである。また別に既に雨に濡れてしまった傘具を公共の場所に持ち込みたい時に、傘カバー３０、３０aを傘に被せて雨水が外へ漏れるのを防止するためでもある。しかしながら、この傘カバー３０、３０aは、傘具と分離する個体であるため、傘カバー３０、３０aを傘具から取り外して使わない時には、適当に置いてしまうため失くしてしまい、使用したい時に見つからない。また傘カバーに注意を払う使用者は、図３に示すように、通常傘カバー３０、３０aを一般の折畳式傘１０の傘ヘッド１１に設置した傘ストラップ１２上に結んで固定するか、もしくは、図５に示すように、一般長傘２０の傘ヘッド２１上に結んで固定して傘と共に携帯し、失くさないようにする。しかし、図３、５に示す傘カバー３０の携帯方式は、基本的に美感に劣る他に、傘カバーの利用価値を下げてしまう。使用者にとって、傘カバー３０が不要であれば、不要物品であって傘カバーを付ける価値がなく、反対に傘カバーのコストが増えるだけである。雨の日には、傘を持って公共の場所、例としてデパートもしくはオフィスビルへ入る時、傘に付いた雨水が地面に零れて滑ったり、汚れたりするのを防止するため、常に準備するか、もしくは無料で提供された長型ビニール袋に雨傘を入れるが、長型ビニール袋は、使用後には捨ててしまうビニール用品で、一般に回収して再使用はしないため、ビニール類の廃棄物が増え、環境保護に符合しない。
【特許文献１】特開２００６−３４４０１号公報
【特許文献２】特開２００２−２７２５１６号公報
【考案の開示】
【考案が解決しようとする課題】
【０００３】
解決しようとする問題点は、公知の傘カバーが有効に携帯できずに失くしやすく、形態しても美感に劣る点である。
【課題を解決するための手段】
【０００４】
本考案は、傘を閉じた後の傘具の傘布外面に被せる傘カバーの外周縁面上に少なくとも一組の相互に対応して掛合する掛合体、例えば面ファスナーもしくはボタン止めを設置する。傘カバーを外して使用しない時、先ず体積を縮小した小個体、例えば扁平矩形袋体に形成し、一組の掛合体を外から掛合し、傘カバーを畳んだ後の小個体の外型を固定することによって崩れたり、変形したりしないようにする。次に定型後の小個体を着脱式もしくは固定式で定位在傘具の傘ヘッド部、例として傘ヘッド、傘ストラップもしくは傘ストラップのヘッド端のリング上に取り付ける。傘具上に簡単に設置して傘と共に携帯し、畳んだり、開いたりして使用する傘カバーは傘具の外観の装飾美感及びその付加価値を高めることを最も主要な特徴とする。
【考案の効果】
【０００５】
本考案の傘カバーは、傘カバーを失くすことなく、携帯して傘具の外観の装飾美感及びその付加価値を高めるという利点がある。
【考案を実施するための最良の形態】
【０００６】
傘カバーにおいて、傘カバーの外周縁面上に少なくとも一組の相互に対応して掛合する掛合体を設置する。傘カバーを外して使用しない時、先ず体積を小さくした小個体に形成し、一組の掛合体によって外から掛合し、その小個体を定型することによって崩れて変形しないようにする。定型後の小個体を着脱式で傘具の傘ヘッド部上に固定し、傘と共に携帯し、且つ自在に畳んだり、開いたりして使用する傘カバーにより、公知の傘カバーが容易に遺失してしまう欠点及び問題を解決することを本考案の主な目的とする。
【０００７】
傘カバーにおいて、傘カバーを畳んだ後の小個体を傘カバー上に設置した一可動式掛合リングを利用するか、もしくは直接元の掛合体の掛合作用を利用して簡単に傘具の傘ヘッド部、例として傘ヘッド、傘ストラップもしくは傘ストラップのヘッド端のリング上に固定し、操作の便利性を高め、並びに傘カバーの付加価値を高めることを本考案の次の目的とする。
〔実施例〕
【０００８】
本考案では更に詳述するため、良好な実施例を図示と共に提示し、本考案の構造及び技術を説明する。
【０００９】
図６-１３に示すとおり、本考案の傘カバー４０は、傘を畳んだ後の折畳式傘１０の長さに合わせて設計した長筒型袋体で、それを折畳式傘１０の傘布外面に被せる。その特徴として、傘カバー４０の外周縁面４１上には少なくとも一組の相互に対応して掛合する掛合体５０、５０aを設ける。その掛合体５０、５０aの構造形態、もしくは掛合方式は格別の制約はなく、図７-１１に示す面ファスナーのような粘着帯形態、もしくはその他形態、例として図１９に示すようなスナップボタン等でもよい。図７に示すのは傘カバー４０を取り外して使用しない時の指示図である。先ず体積を小さくした図１１、１２、１３に示す小個体４０aの扁平矩形袋状体に折り畳む。掛合体５０、５０aを外側から掛合することによって、折り畳んだ後の小個体４０aの外型を固定し、ずれて変形したり、または開いたりしないようにする。
この小個体４０aを着脱方式、例えば傘カバー４０上で簡単に開閉操作して着脱する掛合リング６０を設置して傘具の傘ヘッド部に固定する、または、別例として傘ヘッド１１の傘ストラップ１２に固定する（図未提示）、もしくは、図１２に示すように傘ストラップ１２端のリング１３上に固定する、もしくは図１３に示すように傘ヘッド掛合リング１４上に固定することにより、その小個体４０aを傘具上に簡単に設置し、傘と共にカバーを携帯し、且つ自在に折り畳んだり、開いたりして使用する傘カバーを形成する。上述の傘ヘッド部は、傘具の傘ヘッド箇所回りであって図１３に示す傘ヘッド１１の傘ヘッド掛合リング１４，もしくは図１２に示す傘ストラップ１２、もしくは傘ストラップのヘッド端のリング１３等を含む。
【００１０】
図７、８、９に示すとおり、上述のこの掛合体５０、５０aは、傘カバー４０の開口４１の外周縁面４２上に設置するか、もしくはその近傍に設ける。また、図７に示す傘カバー４０は、一般に開口締め口を具え、その傘カバー４０は元々一組の掛合体５０、５０bが設置され、掛合体５０は、傘カバー開口４１の外周縁面４２に外に向かって伸びた凸耳片４３を具える。傘カバー４０を折畳式傘１０の傘布上でカバーとして使用した時の図は、図６に示す。この一組の掛合体５０、５０bの掛合によって傘カバー４０の開口４１を傘ヘッド１１の下縁箇所で締結して傘から脱落しないようにする。本考案の掛合体５０、５０aの内の掛合体５０は即ち、元の傘カバー４０に既にある掛合体５０、５０bの内の凸耳片４３上に設置した掛合体５０をそのまま利用することができる。
【００１１】
本考案は、傘カバー４０上に特別に一組の掛合体５０、５０aを設置する。傘カバー４０を畳んだ小個体４０a（例として図１１、１２、１３に示す扁平矩形袋状体参照）を一組の掛合体５０、５０aを外側から交互に重ねて掛合し、固定することによって崩れて変形したり、開いたりしないようにする。図７、８、９に示す傘カバー４０で説明するとおり、この一組の掛合体５０、５０aの設置位置は、傘カバー４０を小個体４０aに畳む異なる畳み方、もしくは小個体４０aの最後に畳んだ形状によって異なる。一組の掛合体５０、５０aの内の掛合体５０aは、掛合体５０の反対面の対応箇所に設置し、傘カバー４０を図８、９に示すとおり、先ず底部から上に向かって折畳み（図９の矢印で示す）、小個体前段４０bに形成して図１０に示す扁平矩形袋状体にする。その後、対称折りして（図１０の矢印で示す）、図１１に示すとおり、更に体積を小さくした小個体４０aとして掛合体５０、５０aを相互に重ねて契合する。
この小個体４０aを可動式掛合リング６０で傘ストラップ１２のヘッド端のリング１３上に固定するか（図１２参照）、もしくは傘ヘッド掛合リング１４上に固定すると（図１３参照）、この小個体４０aは折畳式傘１０の外観と共に装飾效果を具え、傘カバーの付加価値を更に高める。
【００１２】
小個体４０aは、傘ヘッド１１の傘ストラップ１２に固定、もしくは傘ストラップ１２のヘッド端のリング１３で固定式とするかには制約はなく、着脱式（可動方式）、もしくは固定式としてもよい。以下にそれぞれ説明を行う。
【００１３】
（一）、着脱式（可動方式）：傘カバー４０上に可動式掛合リング６０を設置する。図８-１３に示すとおり、小個体４０aは可動式掛合リング６０によって、傘ヘッド１１の傘ストラップ１２、もしくは傘ストラップ１２のヘッド端のリング１３（図１２参照）、もしくは傘ヘッド１１の傘ヘッド掛合リング１４（図１３参照）に簡単に掛合し、必要に応じて簡単に設置したり、取り外したりする。また、直接小個体４０a上の掛合体５０、５０aの掛合作用を利用して可動式掛合リング６０に代えても良い。図１４-１８に示すとおり、小個体４０aは掛合体５０、５０aを掛合して定型する前に、先ず傘ストラップ１２を一組の掛合体５０、５０aの間に巻きつけ、図１７、１８に示すとおり、傘ストラップ１２を掛合後の掛合体５０、５０aの間を通して傘ストラップ１２に固定する。また、この一組の掛合体５０、５０aは、図７-１１、図１４-１７に示すとおりの面ファスナー、もしくは図１９に示すその他形態の掛合式でもよい。
【００１４】
（二）、固定式：図２０-２４に示すとおり、傘カバー４０に固定式リング７０を設置して可動式掛合リング６０に代える。傘カバー４０を固定式リング７０で予め傘ヘッド１１の傘ストラップ１２に固定して取り外せないようにする。この傘ストラップ１２は一般の非弾性紐に代えて伸び縮みする弾性紐を用いて、傘カバー４０を取り外して使用しない時、傘カバー４０を小個体４０aに折り畳み、固定式リング７０で傘ヘッド１１の傘ストラップ１２に固定する。そして傘カバー４０を使用する時、小個体４０aを直接弾性紐の傘ストラップ１２上で先ず折り畳んだものを解き（開く）、傘カバー４０にする。次に弾性紐の弾性作用によって該傘ストラップ１２を引き伸ばして、開いた傘カバー４０を折畳式傘１０先端まで引き、折畳式傘１０上に被せて使用する。
【００１５】
図２５-３２（並びに図６-１３も参照）に示す本考案の傘カバー４０は、傘を閉じた後の一般長傘２０の長さに合わせて設計した長筒形袋体で、一般長傘２０の傘布外面に被せる。図２５-３１に示す傘カバー４０は、折り畳んだ小個体前段４０b、もしくは小個体４０a及び可動式掛合リング６０等の主な構造部品は、図６-１３に示す実施例の対応する部品とほぼ同じである。ただ、図２５-３２所示の傘カバー４０は、一般長傘２０に使用するため、傘カバーの長さは、図６-１３所示の傘カバー４０の長さより長い。また図２５-３２及び図６-１３に示す傘カバー４０は、全開状態から先ず小個体前段４０bまで、及び次の小個体前段４０bから小個体４０aへ折り畳む過程もほぼ同じである。ただ、図２５-３２に示す傘カバー４０は全開状態から小個体前段４０bまでの折り畳み過程は、図６-１３に示す傘カバー４０的折り畳み過程より折り畳み工程が多くなる。
【００１６】
本考案の傘カバー４０は、全開状態から小個体前段４０bまで、もしくは更に小個体４０aにする折り畳み過程及び方式には格別の制約はなく、使用者個人の好みもしくは習慣によって異なる操作方式で折り畳み、もしくは収納してよい。
数種の折畳法について、それぞれ以下のとおりに説明する。
【００１７】
（１）、図８-１２に示す。図９の矢印のように傘カバー４０を底部４４から上に向けて直接開口４１の外周縁面４２に向けて折畳み、次に折畳んだ傘カバー４０を、更に対称折りして図１０に示す小個体前段４０bを形成し、最後に背面側の掛合体５０aを設けた外側面を掛合体５０方向に向かって図１０矢印のように対称折りで小個体４０aを形成して図１１に示す扁平矩形袋状体にする。更に、背面の掛合体５０aを正面へ折り、この時掛合体５０と掛合体５０aが重ねられて掛合され、折り畳み過程が完成する。
【００１８】
（２）、図１４-１８もしくは図３８-４２に示す。傘カバー４０の開口４１の外周縁面４２上に開口が下向きの副袋４５を設置する。この時、傘カバー４０を底部４４から上向きに図１４、３８のように対称折りし、対称折りした部分を図１５、３９に示すように副袋４５の開口外で押さえ、次に対称折りした部分を更に半分に折って副袋４５の開口から副袋４５内に入れて図１６、４０に示す小個体前段４０bに形成する。最後に再度背面に掛合体５０aを設置した外側面を掛合体５０方向に向けて対称折りし、図１６、４０の矢印が示すように小個体４０aを形成して図１７、４１に示す扁平矩形袋状体にする。  更に、背面の掛合体５０を正面に向けて折り、この時掛合体５０と掛合体５０aを重ねて掛合し、同時に図１８、４２が示すように傘ストラップ１２上に掛合して折り畳み過程を完成する。小個体前段４０bでは既に相対して定型されているため、折った部分は、副袋４５内から外に出てしまうことがない。また、掛合体５０と元の掛合体５０bを対応して掛合し、小個体前段４０bを傘ストラップ１２上に掛合しても良い。
【００１９】
（３）、図３３-３７に示す。傘カバー４０を底部４４から上に向けて対称折りし、例えば図３３の矢印へ既に対称折りした部分を傘カバー４０の開口４１から傘カバー４０内部へ入れ込み、図３４に示す扁平矩形袋状体を形成し、再び傘カバー４０の既に対称折りした部分の上段を下向きに図３４の矢印方向へ折って小個体前段４０bを形成する。図３５に示すように、最後に掛合体５０aを背面に設置した外側面を掛合体５０方向へ対称折りし、図３５の矢印に示すように小個体４０aを形成し、図３６に示す扁平矩形袋状体にする。更に背面の掛合体５０aを正面へ向けて折り、この時掛合体５０と掛合体５０aを対応して重ねて掛合し、同時に傘ストラップ１２で掛合すると、図３６、３７に示すように折り畳み過程を完成する。
【００２０】
上述の数種の実施可能な折畳法で述べる対称折りは、傘カバー４０の一扁平面を別の一扁平面上に折ることで、これらの対称折りは半分に折り畳む場合に制限せず、もしくは一定幅の折り畳みや不規則幅の折り畳みでもよい。傘カバー４０の材料について述べると、多種の折り畳み方式を利用して一開いた傘カバー４０を一小個体前段４０bもしくは一小個体４０aにする。
【００２１】
本考案の傘カバー４０は、簡単に小個体４０aに折り畳んで傘と共に携帯して失くしにくい。そのため、雨で濡れた傘を持って公共の場所、例としてデパートもしくはオフィスビルに入る時、直接傘カバーの小個体４０aを簡単に開き、傘カバー４０を雨に濡れた傘に被せることにより、これらの場所で提供された、もしくは再使用した一使い捨ての長型ビニール袋を使用しなくてよいので、ビニール廃棄量を減らし、環境保護に符合する。
【００２２】
また、本考案の傘カバー４０は、簡単に小個体４０aに形成して傘と共に携帯できるので、更に傘具の外観もしくは使用者の好みに応じて小個体４０aの外表面上に図案を設置すれば、傘具の使用状態もしくは閉じた状態の外観の装飾美感が高められ、相対して小個体４０aの付加価値も増す。
【図面の簡単な説明】
【００２３】
【図１】公知の一折畳式傘及びそれに付加した傘カバーの立体指示図である。
【図２】図１の傘カバーの立体指示図である。
【図３】図１の傘カバーを取り外し、傘ヘッドの傘ストラップ上に結んだ時の立体指示図である。
【図４】公知の一般長傘及びそれに付加した傘カバーの立体指示図である。
【図５】図４の傘カバー取り外して傘ヘッド上に結んだ時の立体指示図である。
【図６】本考案の一傘カバーを折畳式傘に使用した状態指示図である。
【図７】図６の傘カバーを開いた状態の立体指示図である。
【図８】図７の傘カバーが徐々に畳まれて一小個体を形成する折畳過程指示図である。
【図９】図７の傘カバーが徐々に畳まれて一小個体を形成する折畳過程指示図である。
【図１０】図７の傘カバーが徐々に畳まれて一小個体を形成する折畳過程指示図である。
【図１１】図７の傘カバーが徐々に畳まれて一小個体を形成する折畳過程指示図である。
【図１２】図１１の傘カバー小個体を掛飾在傘ストラップ先端のリング上に吊着した立体指示図である。
【図１３】図１１の傘カバー小個体を傘ヘッド掛合リングに吊着した立体指示図である。
【図１４】本考案の別一傘カバーを一小個体に形成する折畳過程指示図である。
【図１５】本考案の別一傘カバーを一小個体に形成する折畳過程指示図である。
【図１６】本考案の別一傘カバーを一小個体に形成する折畳過程指示図である。
【図１７】本考案の別一傘カバーを一小個体に形成する折畳過程指示図である。
【図１８】図１７の傘カバー小個体を傘ストラップ上に吊着した立体指示図である。
【図１９】本考案の一傘カバーがスナップボタンを掛合体とした指示図である。
【図２０】本考案の別一傘カバーを一小個体に形成する折畳過程指示図である。
【図２１】本考案の別一傘カバーを一小個体に形成する折畳過程指示図である。
【図２２】本考案の別一傘カバーを一小個体に形成する折畳過程指示図である。
【図２３】本考案の別一傘カバーを一小個体に形成する折畳過程指示図である。
【図２４】図２３の傘カバー小個体を傘ストラップ上に吊着した指示図である。
【図２５】本考案の一傘カバーを一般長傘上に使用した指示図である。
【図２６】図２５の傘カバーを開いた状態の立体指示図である。
【図２７】図２６の傘カバーが徐々に折り畳まれて一小個体を形成する折畳過程指示図である。
【図２８】図２６の傘カバーが徐々に折り畳まれて一小個体を形成する折畳過程指示図である。
【図２９】図２６の傘カバーが徐々に折り畳まれて一小個体を形成する折畳過程指示図である。
【図３０】図２６の傘カバーが徐々に折り畳まれて一小個体を形成する折畳過程指示図である。
【図３１】図３０の傘カバー小個体を傘ストラップの先端リングに吊着した指示図である。
【図３２】図３０の傘カバー小個体を傘ヘッド掛合リングに吊着した指示図である。
【図３３】本考案の別一傘カバーを一小個体に形成する折畳過程指示図である。
【図３４】本考案の別一傘カバーを一小個体に形成する折畳過程指示図である。
【図３５】本考案の別一傘カバーを一小個体に形成する折畳過程指示図である。
【図３６】本考案の別一傘カバー收合成一小個体の折り畳み過程指示図である。
【図３７】図３６の傘カバー小個体を傘ストラップ上に吊着した指示図である。
【図３８】本考案の別一傘カバーを一小個体に形成する折畳過程指示図である。
【図３９】本考案の別一傘カバーを一小個体に形成する折畳過程指示図である。
【図４０】本考案の別一傘カバーを一小個体に形成する折畳過程指示図である。
【図４１】本考案の別一傘カバーを一小個体に形成する折畳過程指示図である。
【図４２】図４１の傘カバー小個体を折畳式傘の傘ストラップ上に吊着した指示図である。
【符号の説明】
【００２４】
１０        折畳式傘
１１        傘ヘッド
１２        傘ストラップ
１３        リング
１４        傘ヘッド掛合リング
２０        一般長傘
２１        傘ヘッド
２２        傘ストラップ
２３        リング
２４        傘ヘッド掛合リング
３０        傘カバー
３０ａ      傘カバー
４０        傘カバー
４０ａ      小個体
４０ｂ      小個体前段
４１        開口
４２        外周縁面
４３      凸耳片
４４        底部
４５        副袋
５０        掛合体
５０ａ      掛合体
５０ｂ      掛合体
６０        可動式掛合リング
７０        固定式リング
【図１】
0003140487.tif 000003
【図２】
0003140487.tif 000004
【図３】
0003140487.tif 000005
【図４】
0003140487.tif 000006
【図５】
0003140487.tif 000007
【図６】
0003140487.tif 000008
【図７】
0003140487.tif 000009
【図８】
0003140487.tif 000010
【図９】
0003140487.tif 000011
【図１０】
0003140487.tif 000012
【図１１】
0003140487.tif 000013
【図１２】
0003140487.tif 000014
【図１３】
0003140487.tif 000015
【図１４】
0003140487.tif 000016
【図１５】
0003140487.tif 000017
【図１６】
0003140487.tif 000018
【図１７】
0003140487.tif 000019
【図１８】
0003140487.tif 000020
【図１９】
0003140487.tif 000021
【図２０】
0003140487.tif 000022
【図２１】
0003140487.tif 000023
【図２２】
0003140487.tif 000024
【図２３】
0003140487.tif 000025
【図２４】
0003140487.tif 000026
【図２５】
0003140487.tif 000027
【図２６】
0003140487.tif 000028
【図２７】
0003140487.tif 000029
【図２８】
0003140487.tif 000030
【図２９】
0003140487.tif 000031
【図３０】
0003140487.tif 000032
【図３１】
0003140487.tif 000033
【図３２】
0003140487.tif 000034
【図３３】
0003140487.tif 000035
【図３４】
0003140487.tif 000036
【図３５】
0003140487.tif 000037
【図３６】
0003140487.tif 000038
【図３７】
0003140487.tif 000039
【図３８】
0003140487.tif 000040
【図３９】
0003140487.tif 000041
【図４０】
0003140487.tif 000042
【図４１】
0003140487.tif 000043
【図４２】
0003140487.tif 000044